(57)【要約】【課題】各種複数の動画または各種複数の静止画を表示することができ、その動画や静止画によって商品やサービスに関する各種情報やその他の各種情報を効率よくタイムリーに伝えることができるポスターパネルを提供する。【解決手段】ポスターパネル１０は、ＬＥＤディスプレイ１１と、ＬＥＤディスプレイ１１の前面に配置された透明なフロントプレート１２と、ＬＥＤディスプレイ１１の後面に配置されたリアプレートとから形成されている。ＬＥＤディスプレイ１１は、シート状基板２０と、シート状基板２０の前面に設置されて所定パターンの画素を構成する複数のＬＥＤ素子２１とから形成されている。ポスターパネル１０では、ＬＥＤディスプレイ１１がＬＥＤ素子２１を利用してシート状基板２０の前面に各種複数の動画または各種複数の静止画を表示する。【選択図】図１
2018189791.tif 000002
【特許請求の範囲】
【請求項１】
所定の情報を伝達するポスターパネルにおいて、
前記ポスターパネルが、ＬＥＤディスプレイと、前記ＬＥＤディスプレイの前面に配置された透明なフロントプレートと、前記ＬＥＤディスプレイの後面に配置されたリアプレートとから形成され、前記ＬＥＤディスプレイが、所定面積のシート状基板と、前記シート状基板の前面に設置され、該シート状基板の単位面積当たりに所定の数で配置されて所定パターンの画素を構成する複数のＬＥＤ素子とから形成され、前記ＬＥＤディスプレイが、それらＬＥＤ素子を利用して前記シート状基板の前面に各種複数の動画または各種複数の静止画を表示することを特徴とするポスターパネル。
【請求項２】
複数の前記ポスターパネルが、各地域に設置され、前記ＬＥＤディスプレイに表示される動画または静止画を受信するアンテナを含み、前記各地域に設置されたそれらポスターパネルのＬＥＤディスプレイには、各ポスターパネルが前記アンテナを利用して受信した共通の動画または共通の静止画が同時に表示される請求項１に記載のポスターパネル。
【請求項３】
前記各地域に設置された複数のポスターパネルは、それらポスターパネルが設置された地域の災害・防災情報と、それらポスターパネルが設置された地域の避難場所情報と、それらポスターパネルが設置された地域の避難場所案内マップ情報とのうちの少なくとも１つを前記アンテナを利用して受信し、それらポスターパネルのＬＥＤディスプレイには、各ポスターパネルが前記アンテナを利用して受信した前記災害・防災情報と前記避難場所情報と前記避難場所案内マップ情報とのうちの少なくとも１つの動画または静止画を表示する請求項２に記載のポスターパネル。
【請求項４】
前記各地域に設置された複数のポスターパネルは、それらポスターパネルが設置された地域の道路交通情報と、それらポスターパネルが設置された地域の気象情報とのうちの少なくとも１つを前記アンテナを利用して受信し、それらポスターパネルのＬＥＤディスプレイには、各ポスターパネルが前記アンテナを利用して受信した前記道路交通情報と前記気象情報とのうちの少なくとも１つ動画または静止画を表示する請求項２または請求項３に記載のポスターパネル。
【請求項５】
前記ポスターパネルが、その前に人が存在した場合にその人を検知する人感センサを含み、前記ポスターパネルでは、前記人感センサが人を検知したときに前記ＬＥＤディスプレイに動画または静止画を表示する請求項１ないし請求項４いずれかに記載のポスターパネル。
【請求項６】
前記ポスターパネルが、各地域に施設された各種複数の自動販売機の六面体の筐体の一方の側面と他方の側面と背面とのうちの少なくとも外部から視認可能な一面に設置されている請求項１ないし請求項５いずれかに記載のポスターパネル。
【請求項７】
六面体の筐体を備え、各地域に施設された各種複数の自動販売機において、
前記各種複数の自動販売機が、前記筐体の一方の側面と他方の側面と背面とのうちの少なくとも外部から視認可能な一面に設置されて所定の情報を伝達するポスターパネルを備え、前記ポスターパネルが、ＬＥＤディスプレイと、前記ＬＥＤディスプレイの前面に配置された透明なフロントプレートと、前記ＬＥＤディスプレイの後面に配置されたリアプレートとから形成され、前記ＬＥＤディスプレイが、所定面積のシート状基板と、前記シート状基板の前面に設置され、該シート状基板の単位面積当たりに所定の数で配置されて所定パターンの画素を構成する複数のＬＥＤ素子とから形成され、前記ＬＥＤディスプレイが、それらＬＥＤ素子を利用して前記シート状基板の前面に各種複数の動画または各種複数の静止画を表示することを特徴とするポスターパネルを設置した自動販売機。
【請求項８】
前記各地域に施設された各種複数の自動販売機が、前記ＬＥＤディスプレイに表示される動画または静止画を受信するアンテナを含み、それら自動販売機の六面体の筐体の一面に取り付けられた前記ポスターパネルのＬＥＤディスプレイには、各自動販売機がアンテナを利用して受信した共通の動画または共通の静止画が同時に表示される請求項７に記載のポスターパネルを設置した自動販売機。
【請求項９】
前記各地域に施設された各種複数の自動販売機は、それら自動販売機が施設された地域の災害・防災情報と、それら自動販売機が施設された地域の避難場所情報と、それら自動販売機が施設された地域の避難場所案内マップ情報とのうちの少なくとも１つを前記アンテナを利用して受信し、それら自動販売機の六面体の筐体の一面に設置された前記ポスターパネルのＬＥＤディスプレイには、各自動販売機が前記アンテナを利用して受信した前記災害・防災情報と前記避難場所情報と前記避難場所案内マップとのうちの少なくとも１つの動画または静止画を表示する請求項８に記載のポスターパネルを設置した自動販売機。
【請求項１０】
前記各地域に施設された各種複数の自動販売機は、それら自動販売機が施設された地域の道路交通情報と、それら自動販売機が施設された地域の気象情報とのうちの少なくとも１つを前記アンテナを利用して受信し、それら自動販売機の六面体の筐体の一面に設置された前記ポスターパネルのＬＥＤディスプレイには、各自動販売機が前記アンテナを利用して受信した前記道路交通情報と前記気象情報とのうちの少なくとも１つ動画または静止画を表示する請求項８または請求項９に記載のポスターパネルを設置した自動販売機。
【請求項１１】
前記自動販売機が、前記ポスターパネルを取り付けた自動販売機の六面体の筐体の一面の前に人が存在した場合にその人を検知する人感センサを含み、前記自動販売機では、前記人感センサが人を検知したときに前記ポスターパネルのＬＥＤディスプレイに動画または静止画を表示する請求項７ないし請求項１０いずれかに記載のポスターパネルを設置した自動販売機。
【発明の詳細な説明】
【技術分野】
【０００１】
本発明は、所定の情報を伝達するポスターパネルに関するとともに、所定の情報を伝達するポスターパネルを設置した自動販売機に関する。
【背景技術】
【０００２】
平板状のバックボードと、バックボードの周縁部に設けられてそのバックボードの上に重ねられたポスターを固定する枠体と、バックボードの表面の一方の端縁部近傍に取り付けられてポスターの裏面を粘着固定する両面粘着テープとを有するポスターパネルが開示されている（特許文献１参照）。枠体は、バックボードの周縁部に固定される基部材と、基部材に対して回動可能に設けられた押え部材とを備えている。押え部材は、閉状態においてバックボードの上のポスターを弾力的に押圧固定し、バックボードの表面から離れる方向に回動させることにより、ポスターの固定を解除することのできるように構成されている。
【０００３】
また、複数の面を有するハウジングを備え、表面の少なくとも一部に顧客印刷領域が設けられた未完成商品を格納する未完成商品格納手段と、顧客が所望の印刷情報を入力するための印刷情報入力部および商品取出口を含む複数の顧客操作部と、印刷情報入力部により入力された印刷情報によって表わされる情報を未完成商品の顧客印刷領域に印刷する印刷手段と、印刷手段によって情報が印刷されることにより完成した商品をその情報を入力した印刷情報入力部に対応する商品取出口に供給する商品供給手段とを有する自動販売機が開示されている（特許文献２参照）。自動販売機では、複数の顧客操作部がハウジングの複数の面にそれぞれ設けられ、印刷情報入力部とそれに対応する商品取出口とが同一の面で操作可能に設けられている。
【先行技術文献】
【特許文献】
【０００４】
【特許文献１】特開２００９−１６９１１４号公報
【特許文献２】特開２０１６−９１４４２号公報
【発明の概要】
【発明が解決しようとする課題】
【０００５】
前記特許文献１に開示のポスターパネルは、各種複数の動画や各種複数の静止画を表示することはなく、商品やサービスに関する各種複数の情報やその他の各種情報をタイムリーに伝達することができない。また、表示された情報を他の情報に変更するには、枠体に固定されたポスターを枠体から取り外し、あらたなポスターを枠体に固定しなければならず、商品やサービスに関する各種の情報を手間をかけずに効率よく表示することができない。前記特許文献２に開示の自動販売機は、複数の人が自分の好みの絵等を商品に印刷し、絵等を印刷した商品を購入することはできるが、各種複数の動画や各種複数の静止画を表示することはなく、商品やサービスに関する各種複数の情報やその他の各種情報を伝達することができない。
【０００６】
本発明の目的は、各種複数の動画または各種複数の静止画を表示することができ、その動画や静止画によって商品やサービスに関する各種情報やその他の各種情報を効率よくタイムリーに伝えることができるポスターパネルを提供することにある。本発明の他の目的は、任意の地域に設置しつつ共通の動画または共通の静止画をその地域に同時に表示することができ、共通の情報を伝達することで宣伝・広告効果や告示・公示効果を向上させることができるポスターパネルを提供することにある。本発明の他の目的は、各種複数の動画または各種複数の静止画を表示することができ、その動画や静止画によって商品やサービスに関する各種情報やその他の各種情報を効率よくタイムリーに伝えることができる自動販売機を提供することにある。本発明の他の目的は、任意の地域に施設しつつ共通の動画または共通の静止画をその地域に同時に表示することができ、共通の情報を伝達することで宣伝・広告効果や告示・公示効果を向上させることができる自動販売機を提供することにある。
【課題を解決するための手段】
【０００７】
前記課題を解決するための本発明の第１の前提は、所定の情報を伝達するポスターパネルである。
【０００８】
前記第１の前提における本発明のポスターパネルの特徴は、ポスターパネルが、ＬＥＤディスプレイと、ＬＥＤディスプレイの前面に配置された透明なフロントプレートと、ＬＥＤディスプレイの後面に配置されたリアプレートとから形成され、ＬＥＤディスプレイが、所定面積のシート状基板と、シート状基板の前面に設置され、シート状基板の単位面積当たりに所定の数で配置されて所定パターンの画素を構成する複数のＬＥＤ素子とから形成され、ＬＥＤディスプレイが、それらＬＥＤ素子を利用してシート状基板の前面に各種複数の動画または各種複数の静止画を表示することにある。
【０００９】
本発明のポスターパネルの一例としては、複数のポスターパネルが、各地域に設置され、ＬＥＤディスプレイに表示される動画または静止画を受信するアンテナを含み、各地域に設置されたそれらポスターパネルのＬＥＤディスプレイには、各ポスターパネルがアンテナを利用して受信した共通の動画または共通の静止画が同時に表示される。
【００１０】
本発明のポスターパネルの他の一例として、各地域に設置された複数のポスターパネルは、それらポスターパネルが設置された地域の災害・防災情報と、それらポスターパネルが設置された地域の避難場所情報と、それらポスターパネルが設置された地域の避難場所案内マップ情報とのうちの少なくとも１つをアンテナを利用して受信し、それらポスターパネルのＬＥＤディスプレイには、各ポスターパネルがアンテナを利用して受信した災害・防災情報と避難場所情報と避難場所案内マップ情報とのうちの少なくとも１つの動画または静止画を表示する。
【００１１】
本発明のポスターパネルの他の一例として、各地域に設置された複数のポスターパネルは、それらポスターパネルが設置された地域の道路交通情報と、それらポスターパネルが設置された地域の気象情報とのうちの少なくとも１つをアンテナを利用して受信し、それらポスターパネルのＬＥＤディスプレイには、各ポスターパネルがアンテナを利用して受信した道路交通情報と気象情報とのうちの少なくとも１つ動画または静止画を表示する。
【００１２】
本発明のポスターパネルの他の一例としては、ポスターパネルが、その前に人が存在した場合にその人を検知する人感センサを含み、ポスターパネルでは、人感センサが人を検知したときにＬＥＤディスプレイに動画または静止画を表示する。
【００１３】
本発明のポスターパネルの他の一例としては、ポスターパネルが、各地域に施設された各種複数の自動販売機の六面体の筐体の一方の側面と他方の側面と背面とのうちの少なくとも外部から視認可能な一面に設置されている。
【００１４】
前記課題を解決するための本発明の第２の前提は、六面体の筐体を備え、各地域に施設された各種複数の自動販売機である。
【００１５】
前記第１の前提における本発明の自動販売機の特徴は、各種複数の自動販売機が、筐体の一方の側面と他方の側面と背面とのうちの少なくとも外部から視認可能な一面に設置されて所定の情報を伝達するポスターパネルを備え、ポスターパネルが、ＬＥＤディスプレイと、ＬＥＤディスプレイの前面に配置された透明なフロントプレートと、ＬＥＤディスプレイの後面に配置されたリアプレートとから形成され、ＬＥＤディスプレイが、所定面積のシート状基板と、シート状基板の前面に設置され、シート状基板の単位面積当たりに所定の数で配置されて所定パターンの画素を構成する複数のＬＥＤ素子とから形成され、ＬＥＤディスプレイが、それらＬＥＤ素子を利用してシート状基板の前面に各種複数の動画または各種複数の静止画を表示することにある。
【００１６】
本発明の自動販売機の一例としては、各地域に施設された各種複数の自動販売機が、ＬＥＤディスプレイに表示される動画または静止画を受信するアンテナを含み、それら自動販売機の六面体の筐体の一面に取り付けられたポスターパネルのＬＥＤディスプレイには、各自動販売機がアンテナを利用して受信した共通の動画または共通の静止画が同時に表示される。
【００１７】
本発明の自動販売機の他の一例としては、各地域に施設された各種複数の自動販売機は、それら自動販売機が施設された地域の災害・防災情報と、それら自動販売機が施設された地域の避難場所情報と、それら自動販売機が施設された地域の避難場所案内マップ情報とのうちの少なくとも１つをアンテナを利用して受信し、それら自動販売機の六面体の筐体の一面に設置されたポスターパネルのＬＥＤディスプレイには、各自動販売機がアンテナを利用して受信した災害・防災情報と避難場所情報と避難場所案内マップとのうちの少なくとも１つの動画または静止画を表示する。
【００１８】
本発明の自動販売機の他の一例として、各地域に施設された各種複数の自動販売機は、それら自動販売機が施設された地域の道路交通情報と、それら自動販売機が施設された地域の気象情報とのうちの少なくとも１つをアンテナを利用して受信し、それら自動販売機の六面体の筐体の一面に設置されたポスターパネルのＬＥＤディスプレイには、各自動販売機がアンテナを利用して受信した道路交通情報と気象情報とのうちの少なくとも１つ動画または静止画を表示する。
【００１９】
本発明の自動販売機の他の一例としては、自動販売機が、ポスターパネルを取り付けた自動販売機の六面体の筐体の一面の前に人が存在した場合にその人を検知する人感センサを含み、自動販売機では、人感センサが人を検知したときに記ポスターパネルのＬＥＤディスプレイに動画または静止画を表示する。
【発明の効果】
【００２０】
本発明に係るポスターパネルによれば、それを形成するＬＥＤディスプレイがそれらＬＥＤ素子を利用してその前面に各種複数の動画または各種複数の静止画を表示するから、ＬＥＤディスプレイを介してその前面に各種複数の動画または各種複数の静止画を表示することができ、その動画や静止画によって商品やサービスに関する各種情報やその他の各種情報を効率よくタイムリーに伝えることができる。ポスターパネルは、ＬＥＤディスプレイを利用することで、現に表示している動画や静止画をあらたな動画や静止画に瞬時に変更することができ、ＬＥＤディスプレイに表示する動画や静止画を適宜変更することで、伝えたい情報を迅速かつ正確に表示することができる。
【００２１】
複数のポスターパネルが各地域に設置され、ＬＥＤディスプレイに表示される動画または静止画を受信するアンテナを含み、各ポスターパネルがアンテナを利用して受信した共通の動画または共通の静止画が各地域に設置されたそれらポスターパネルのＬＥＤディスプレイに同時に表示されるポスターパネルは、それらポスターパネルのアンテナに共通の動画または共通の静止画を同時に配信することができるから、複数のポスターパネルを任意の地域に設置しつつ、アンテナを利用して受信した共通の動画または共通の静止画を複数のポスターパネルを設置した地域に同時に表示することができ、複数のポスターパネルを利用して共通の情報を伝達することで宣伝・広告効果や告示・公示効果を向上させることができる。ポスターパネルは、アンテナを利用して受信した共通の動画または共通の静止画をそれらポスターパネルのＬＥＤディスプレイに同時に表示することができるから、その動画やその静止画によって商品やサービスに関する各種情報やその他の各種情報を効率よくタイムリーに伝えることができるとともに、現に表示している共通の動画や共通の静止画をあらたな共通の動画やあらたな共通の静止画に瞬時に変更することができ、ＬＥＤディスプレイに表示する共通の動画や共通の静止画を適宜変更することで、伝えたい情報を迅速かつ正確に表示することができる。
【００２２】
各地域に設置された複数のポスターパネルが地域の災害・防災情報と地域の避難地情報と地域の避難地案内マップ情報とのうちの少なくとも１つをアンテナを利用して受信し、各ポスターパネルが前記アンテナを利用して受信した災害・防災情報と避難場所情報と避難場所案内マップ情報とのうちの少なくとも１つの動画または静止画をそれらポスターパネルのＬＥＤディスプレイに表示するポスターパネルは、災害発生時にアンテナを利用して受信した地域の災害・防災情報や地域の避難場所情報、地域の避難場所案内マップ情報のうちの少なくとも１つの動画または静止画をそれらポスターパネルのＬＥＤディスプレイに表示することで、災害発生時におけるそれら情報を各地域に同時かつ広範囲に伝達することができ、災害発生時における避難方法や避難場所、避難場所までのルート等を避難者や被災者に迅速かつ正確に伝達することができるとともに、災害発生時の被害の発生を最小限にすることができる。
【００２３】
各地域に設置された複数のポスターパネルが地域の道路交通情報と地域の気象情報とのうちの少なくとも１つをアンテナを利用して受信し、各ポスターパネルがアンテナを利用して受信した道路交通情報と気象情報とのうちの少なくとも１つ動画または静止画をそれらポスターパネルのＬＥＤディスプレイに表示するポスターパネルは、アンテナを利用して受信した地域の道路交通情報と地域の気象情報とのうちの少なくとも１つの動画または静止画をそれらポスターパネルのＬＥＤディスプレイに表示することで、道路交通情報や気象情報を各地域に同時かつ広範囲に伝達することができ、通行制限の状況や道路の混雑状況、現在の天気状況、今後の天気変化等を通行人に迅速かつタイムリーに伝達することができる。
【００２４】
ポスターパネルの前に人が存在した場合にその人を検知する人感センサを含み、人感センサが人を検知したときにＬＥＤディスプレイに動画または静止画を表示するポスターパネルは、ポスターパネルの前に人が存在しないときにおいて各種複数の動画または各種複数の静止画が表示されないから、人が見ることがない各種情報の無駄な表示を防ぐことができ、ポスターパネルにおいて消費される電力の省エネを図ることができる。
【００２５】
各地域に施設された各種複数の自動販売機の六面体の筐体の一方の側面と他方の側面と背面とのうちの少なくとも外部から視認可能な一面に設置されているポスターパネルは、各地域に施設された各種複数の自動販売機の視認可能な一面にポスターパネルが設置され、それら自動販売機に設置されたそれらポスターパネルのＬＥＤディスプレイに各種複数の動画または各種複数の静止画を表示することができ、複数のポスターパネルを利用して各種複数の情報を伝達することで宣伝・広告効果や告示・公示効果を向上させることができる。ポスターパネルは、各地域に施設されたそれら自動販売機の視認可能な一面に設置されたポスターパネルを利用して各種複数の動画または各種複数の静止画を表示することができ、その動画や静止画によって商品やサービスに関する各種情報やその他の各種情報を効率よくタイムリーに伝えることができるとともに、現に表示している動画や静止画をあらたな動画や静止画に瞬時に変更することができ、ＬＥＤディスプレイに表示する動画や静止画を適宜変更することで、それら自動販売機に設置されたポスターパネルを利用して伝えたい情報を迅速かつ正確に表示することができる。
【００２６】
本発明に係る自動販売機によれば、その筐体の視認可能な一面に設置されたポスターパネルを形成するＬＥＤディスプレイがそれらＬＥＤ素子を利用して各種複数の動画または各種複数の静止画を表示するから、ＬＥＤディスプレイを介して自動販売機の一面に各種複数の動画または各種複数の静止画を表示することができ、その動画や静止画によって商品やサービスに関する各種情報やその他の各種情報を効率よくタイムリーに伝えることができる。自動販売機は、ポスターパネルのＬＥＤディスプレイを利用することで、現に表示している動画や静止画をあらたな動画や静止画に瞬時に変更することができ、ＬＥＤディスプレイに表示する動画や静止画を適宜変更することで、伝えたい情報を迅速かつ正確に表示することができる。自動販売機は、各種複数の自動販売機が各地域に施設され、それら自動販売機に設置されたそれらポスターパネルのＬＥＤディスプレイに各種複数の動画または各種複数の静止画を表示することで、複数のポスターパネルを利用して各種複数の情報を伝達することで宣伝・広告効果や告示・公示効果を向上させることができる。
【００２７】
各地域に施設された各種複数の自動販売機がＬＥＤディスプレイに表示される動画または静止画を受信するアンテナを含み、各自動販売機がアンテナを利用して受信した共通の動画または共通の静止画がそれら自動販売機の六面体の筐体の一面に取り付けられたポスターパネルのＬＥＤディスプレイに同時に表示される自動販売機は、それら自動販売機のアンテナに共通の動画または共通の静止画を同時に配信することができるから、アンテナを利用して受信した共通の動画または共通の静止画をそれら自動販売機を施設した地域に同時に表示することができ、それら自動販売機に設置されたポスターパネルを利用して共通の情報を伝達することで宣伝・広告効果や告示・公示効果を向上させることができる。自動販売機は、アンテナを利用して受信した共通の動画または共通の静止画を表示することができ、その動画や静止画によって商品やサービスに関する各種情報やその他の各種情報を効率よくタイムリーに伝えることができるとともに、現に表示している共通の動画や共通の静止画をあらたな共通の動画やあらたな共通の静止画に瞬時に変更することができ、ポスターパネルのＬＥＤディスプレイに表示する共通の動画や共通の静止画を適宜変更することで、伝えたい情報を迅速かつ正確に表示することができる。
【００２８】
各地域に施設されたそれら自動販売機が地域の災害・防災情報と地域の避難場所情報と地域の避難場所案内マップ情報とのうちの少なくとも１つをアンテナを利用して受信し、各自動販売機がアンテナを利用して受信した災害・防災情報と避難場所情報と避難場所案内マップとのうちの少なくとも１つの動画または静止画をそれら自動販売機の六面体の筐体の一面に設置されたポスターパネルのＬＥＤディスプレイに表示する自動販売機は、災害発生時にアンテナを利用して受信した地域の災害・防災情報や地域の避難場所情報、地域の避難場所案内マップ情報のうちの少なくとも１つの動画または静止画をそれら自動販売機に設置されたポスターパネルのＬＥＤディスプレイに表示することで、災害発生時におけるそれら情報を各地域に同時かつ広範囲に伝達することができ、災害発生時における避難方法や避難場所、避難場所までのルート等を避難者や被災者に迅速かつ正確に伝達することができるとともに、災害発生時の被害の発生を最小限にすることができる。
【００２９】
各地域に施設されたそれら自動販売機が地域の道路交通情報と地域の気象情報とのうちの少なくとも１つをアンテナを利用して受信し、各自動販売機がアンテナを利用して受信した道路交通情報と気象情報とのうちの少なくとも１つ動画または静止画をそれら自動販売機の六面体の筐体の一面に設置されたポスターパネルのＬＥＤディスプレイに表示する自動販売機は、アンテナを利用して受信した地域の道路交通情報と地域の気象情報とのうちの少なくとも１つの動画または静止画をそれら自動販売機に設置されたポスターパネルのＬＥＤディスプレイに表示することで、道路交通情報や気象情報各地域に同時かつ広範囲に伝達することができ、通行制限の状況や道路の混雑状況、現在の天気状況、今後の天気変化等を通行人に迅速かつタイムリーに伝達することができる。
【００３０】
ポスターパネルを取り付けた自動販売機の六面体の筐体の一面の前に人が存在した場合にその人を検知する人感センサを含み、人感センサが人を検知したときにポスターパネルのＬＥＤディスプレイに動画または静止画を表示する自動販売機は、ポスターパネルを取り付けた自動販売機の一面の前に人が存在しないときにおいて各種複数の動画または各種複数の静止画が表示されないから、人が見ることがない各種情報の無駄な表示を防ぐことができ、ポスターパネルにおいて消費される電力の省エネを図ることができる。
【図面の簡単な説明】
【００３１】
【図１】一例として示すポスターパネルの斜視図。
【図２】図１のＡ−Ａ線端面図。
【図３】ポスターパネルを取り付けたパネルスタンドの一例を示す斜視図。
【図４】ポスターパネルを取り付けたパネルラックの一例を示す斜視図。
【図５】ポスターパネルの利用形態の一例を示す図。
【図６】一例として示す自動販売機の斜視図。
【図７】自動販売機の利用形態の一例を示す図。
【発明を実施するための形態】
【００３２】
一例として示すポスターパネル１０の斜視図である図１等の添付の図面を参照し、本発明に係るポスターパネルの詳細を説明すると、以下のとおりである。なお、図２は、図１のＡ−Ａ線端面図であり、図３は、ポスターパネル１０を取り付けたパネルスタンド１７の一例を示す斜視図である。図４は、ポスターパネル１０を取り付けたパネルラック１９の一例を示す斜視図である。図１では、縦方向を矢印Ｘで示し、横方向を矢印Ｙで示す。図１や図３、図４では 、ポスターパネル１０のＬＥＤディスプレイ１１に表示される動画や静止画の図示を省略している。
【００３３】
ポスターパネル１０は、高輝度ＬＥＤディスプレイ１１（自発光型ディスプレイ）と、所定面積の透明（無色透明）なフロントプレート１２と、所定面積の透明（無色透明）または有彩色のリアプレート１３と、フレーム１４とから形成されている。ポスターパネル１０には、広帯域アンテナ１５（アンテナ）と人感センサ１６とが取り付けられ、電源に接続する電気コード（図示せず）が連結されている。
【００３４】
ポスターパネル１０の使用の一例としては、図３に示すように、ポスターパネル１０のフレーム１４がパネルスタンド１７から上方へ延びるアーム１８に着脱可能に取り付けられ、ポスターパネル１０がパネルスタンド１７を利用して床面に載置され、ポスターパネル１０のＬＥＤディスプレイ１１を利用して商品やサービスに関する各種複数の情報やその他の各種情報を外部に伝達する。
【００３５】
ポスターパネル１０の使用の他の一例としては、図４に示すように、ポスターパネル１０のフレーム１４がパネルラック１９に着脱可能に取り付けられ、ポスターパネル１０がパネルラック１９を利用して床面に載置され、ポスターパネル１０のＬＥＤディスプレイ１１を利用して商品やサービスに関する各種複数の情報やその他の各種情報を外部に伝達する。その他の使用例としては、ポスターパネル１０が外壁や内壁、窓、パーティションに取り付けられ、または、チェーンによってポスターパネル１０が吊り下げられた状態で、ポスターパネル１０のＬＥＤディスプレイ１１を利用して商品やサービスに関する各種複数の情報やその他の各種情報を外部に伝達する。
【００３６】
ＬＥＤディスプレイ１１は、可撓性を有する所定面積のフレキシブルシート状基板２０（シート状基板）と、フレキシブルシート状基板２０の前面２４に設置された複数のＬＥＤ素子２１（ＬＥＤチップ）と、フレキシブルシート状基板２０の端部２２に設置された電子制御モジュール（図示せず）と、所定面積の透明な紫外線遮蔽保護フィルム２３とから形成されている。ＬＥＤディスプレイ１１は、それらＬＥＤ素子２１を利用してフレキシブルシート状基板２０の前面２４に各種複数の動画または各種複数の静止画を表示する。
【００３７】
フレキシブルシート状基板２０は、合成樹脂（熱可塑性合成樹脂）から作られた可撓性を有する所定面積の透明なシート（プラスチックシート）であり、平坦な前面２４と平坦な後面２５とを有する。フレキシブル透明シート状基板２０は、所定の曲率半径で円弧状に湾曲させることができるとともに、所定の角度で曲折する（折り曲げる）ことができる。フレキシブル透明シート状基板２０は、その厚み寸法が０．２〜１．５ｍｍの範囲にある。
【００３８】
それらＬＥＤ素子２１は、フレキシブルシート状基板２０の前面２４において縦方向へ等間隔離間して整然と並んでいるとともに、横方向へ等間隔離間して整然と並んでいる。それらＬＥＤ素子２１は、縦横方向へ並んだ状態でフレキシブルシート状基板２０の前面２４に設置・固定されている。それらＬＥＤ素子２１は、それらが電気的に接続されているとともに、電子制御モジュールに電気的に接続されている。それらＬＥＤ素子２１は、光の３原色（Ｒ・Ｇ・Ｂ）に発光する。
【００３９】
それらＬＥＤ素子２１は、６０００〜１００００ｍｃｄの超高輝度であり、広指向角を有する。フレキシブル透明シート基板２０の単位面積（１０ｍｍ×１０ｍｍ）当たりに配置されるＬＥＤ素子２１の数は、１〜１０個、好ましくは、２〜８個である。それらＬＥＤ素子２１は、所定の数毎（フレキシブルシート状基板の所定の面積毎）にブロック化され、第１〜第ｎブロックを形成している。それらＬＥＤ素子２１は、フレキシブルシート状基板２０の前面２４に配置されて所定パターンの画素を構成している。
【００４０】
電子制御モジュールは、それらＬＥＤ素子２１を第１〜第ｎブロック毎に一纏めに制御する。電子制御モジュールは、それらＬＥＤ素子２１の発光色を第１〜第ｎブロック毎に調整しつつ発光色を第１〜第ｎブロック毎に時系列に変化させ、それらＬＥＤ素子２１の輝度を第１〜第ｎブロック毎に調整しつつ輝度を第１〜第ｎブロック毎に時系列に変化させる。電子制御モジュールは、光の３原色（Ｒ・Ｇ・Ｂ）に発光するそれらＬＥＤ素子２１を各種複数の色彩（可視光）に発光させることで、フレキシブルシート状基板２０の前面２４（ＬＥＤディスプレイ１１の前面）に各種複数のフルカラーの動画（白黒を含む）（画像）または各種複数のフルカラーの静止画（白黒を含む）（画像）を連続的または間欠的に表示する。電子制御モジュールには、アンテナ１５や電気コード、人感センサ１６が電気的に接続されている。
【００４１】
電子制御モジュールは、アンテナ１５によって各種複数の動画または各種複数の静止画を受信し、受信したそれら動画や静止画をメモリに格納する。電子制御モジュールは、メモリに格納した各種複数の動画または各種複数の静止画のうちの所定の動画または所定の静止画をメモリから抽出し、抽出した所定の動画または所定の静止画をフレキシブルシート状基板２０の前面２４（ＬＥＤディスプレイ１１の前面）に連続的または間欠的に表示する。
【００４２】
なお、アンテナ１５が受信した各種複数の動画または各種複数の静止画をフレキシブルシート状基板２０の前面２４（ＬＥＤディスプレイ１１の前面）に順番に表示することもでき、または、アンテナ１５が受信した各種複数の動画または各種複数の静止画をフレキシブルシート状基板２０の前面２４（ＬＥＤディスプレイ１１の前面）に順番に表示することもできる。電子制御モジュールは、アンテナ１５によって各種複数の動画または各種複数の静止画を随時受信し、すでに格納した動画や静止画をあらたに受信した動画や静止画に更新することができる。
【００４３】
電子制御モジュールのメモリにすでに各種複数の動画または各種複数の静止画が格納（記憶）されている場合、電子制御モジュールは、メモリに格納された各種複数の動画または各種複数の静止画のうちの所定の動画または所定の静止画をメモリから抽出し、抽出した所定の動画または所定の静止画をフレキシブル透明シート基板２０の前面２４（ＬＥＤディスプレイ１１の前面）に連続的または間欠的に表示することができる。
【００４４】
なお、メモリに格納された各種複数の動画または各種複数の静止画をフレキシブル透明シート基板２０の前面２４（ＬＥＤディスプレイ１１の前面）に順番に表示することができ、または、メモリに格納された各種複数の動画または各種複数の静止画をフレキシブル透明シート基板２０の前面２４（ＬＥＤディスプレイ１１の前面）に順番に表示することができる。電子制御モジュールは、そのインターフェイスにコンピュータ端末を接続し、コンピュータ端末から各種複数の動画または各種複数の静止画を転送し、それら動画またはそれら静止画をメモリに格納することができ、すでに格納した動画や静止画をあらたな動画や静止画に更新することができる。
【００４５】
紫外線遮蔽保護フィルム２３は、合成樹脂（熱可塑性合成樹脂）から作られた可撓性を有する透明なフィルム（プラスチックフィルム）であり、フレキシブルシート状基板２０と略同形同大に成形されている。紫外線遮蔽保護フィルム２３は、フレキシブルシート状基板２０の前面２４に配置され、所定の接合手段（接着剤や粘着テープ、縫製等）（図示せず）によってフレキシブルシート状基板２０の前面２４に貼着（固定）されている。紫外線遮蔽保護フィルム２３は、フレキシブルシート状基板２０の前面２４に配置されたそれらＬＥＤ素子２１を包被（被覆）している。紫外線遮蔽保護フィルム２３は、紫外線を遮蔽し、紫外線のそれらＬＥＤ素子２１への到達を阻止するとともに、それらＬＥＤ素子２１と外物との接触を防ぎ、それらＬＥＤ素子２１を損傷から保護する。
【００４６】
フロントプレート１２は、フレキシブルシート状基板２０の前面２４（ＬＥＤディスプレイ１１の前面）に配置されている。リアプレート１３は、フレキシブルシート状基板２０の後面２５（ＬＥＤディスプレイ１１の後面）に配置されている。フロントプレート１２およびリアプレート１３は、平坦な前面２６と平坦な後面２７とを有し、横方向と縦方向とへ直状に延びている。フロントプレート１２およびリアプレート１３は、合成樹脂（熱可塑性合成樹脂）から作られたプラスチック板であり、フロントプレート１２には透明なアクリル板が使用され、リアプレート１３には透明または不透明なアクリル板が使用されている。
【００４７】
フロントプレート１２には、アクリル板の他に、透明な塩化ビニール板や透明なポリカーボネート板、透明なＰＥＴ板を使用することもでき、リアプレート１３には、アクリル板の他に、透明または不透明な塩化ビニール板や透明または不透明なポリカーボネート板、透明または不透明なＰＥＴ板を使用することもできる。フロントプレート１２およびリアプレート１３は、その厚み寸法が５〜１０ｍｍの範囲にある。
【００４８】
フロントプレート１２の後面２７にはフレキシブルシート状基板２０が位置し、紫外線遮蔽保護フィルム２３（フレキシブルシート状基板２０の前面２４）が所定の接合手段（接着剤や粘着テープ）（図示せず）によってフロントプレート１２の後面２７に固定されている。リアプレート１３の前面２６にはフレキシブルシート状基板２０が位置し、フレキシブルシート状基板２０の後面２５が所定の接合手段（接着剤や粘着テープ）（図示せず）によってリアプレート１３の前面２６に固定されている。フロントプレート１２およびリアプレート１３は、フレキシブルシート状基板２０（ＬＥＤ素子２１）を挟み込んだ状態で、フレキシブルシート状基板２０（ＬＥＤ素子２１）を支持している。
【００４９】
フレキシブルシート状基板２０の電子制御モジュールを取り付けた端部２２は、フロントプレート１２の上端縁部２８において折り曲げられ、フロントプレート１２の上端面に固定されている。フレーム１４は、フロントプレート１２およびリアプレート１３の上下端縁部２８，２９および両側縁部３０（周縁部）に設置・固定され、それらプレート１２，１３の縁部２８〜３０を囲繞している。フレーム１４は、ＬＥＤディスプレイ１１とフロントプレート１２およびリアプレート１３とを支持している。広帯域アンテナ１５は、フレキシブルシート状基板２０の端部２２から延出してそれらプレート１２，１３の上端縁部２８とフレーム１４との間に配置されている。
【００５０】
人感センサ１６は、フロントプレート１２に下端縁部２９に設置され、フレーム１４の貫通孔から露出している。人感センサ１６は、ポスターパネル１０（フレキシブルシート状基板２０の前面２４）の前に人が存在した場合にその人を検知し、人検知信号を電子制御モジュールに送信する。人感センサ１６には、赤外線センサや超音波センサ、可視光センサを利用することができる。なお、ポスターパネル１０に人感センサ１６が取り付けられていなくてもよい。
【００５１】
事業者の送信所（電波塔）から各基地局を経由してポスターパネル１０に表示する動画（電波）や静止画（電波）が送信される。事業者の送信所から送信された動画や静止画をアンテナ１５が受信し、電子制御モジュールが動画や静止画をメモリに格納した後、電子制御モジュールがＬＥＤ素子２１（ＬＥＤチップ）を利用して各種複数の動画や各種複数の静止画をフレキシブルシート状基板２０の前面２４（ＬＥＤディスプレイ１１の前面）に表示する。ＬＥＤディスプレイ１１に表示された動画や静止画によって商品やサービスに関する各種情報やその他の各種情報が伝えられる。
【００５２】
なお、人感センサ１６が人を検知した場合（ポスターパネル１０の前に人が存在する場合）にＬＥＤディスプレイ１１に動画または静止画が表示され、人感センサ１６が人を検知しない場合（ポスターパネル１０の前に人が存在しない場合）はＬＥＤディスプレイ１１に動画または静止画が表示されない。人感センサ１６が設置されていない場合は、動画または静止画がＬＥＤディスプレイ１１に常時表示される。事業者の送信所からポスターパネル１０に表示したい動画や静止画をタイムリーに送信することで、現に表示されている動画や静止画があらたな動画や静止画に変更される。
【００５３】
ポスターパネル１０は、それを形成するＬＥＤディスプレイ１１がそれらＬＥＤ素子２１を利用してＬＥＤディスプレイ１１の前面（フレキシブルシート状基板２０の前面２４）に各種複数の動画または各種複数の静止画を表示するから、ＬＥＤディスプレイ１１を介してその前面に各種複数の動画または各種複数の静止画を表示することができ、その動画や静止画によって商品やサービスに関する各種情報やその他の各種情報を効率よくタイムリーに伝えることができる。ポスターパネル１０は、ＬＥＤディスプレイ１１を利用することで、現に表示している動画や静止画をあらたな動画や静止画に瞬時に変更することができ、ＬＥＤディスプレイ１１に表示する動画や静止画を適宜変更することで、伝えたい情報を迅速かつ正確に表示することができる。
【００５４】
図５は、ポスターパネル１０の利用形態の一例を示す図である。図５では 、ポスターパネル１０のＬＥＤディスプレイ１１に表示される動画や静止画の図示を省略している。ポスターパネル１０は、複数のそれがたとえばチェーン店や系列の会社、各公共施設、各駅、主要道路等の各地域Ａ〜Ｃに設置される。各地域Ａ〜Ｃには、市町村の各地域、都道府県の各地域、東北地方や関東地方等の各地域が含まれる。なお、ポスターパネル１０の設置場所に特に制限はなく、各地域Ａ〜Ｃのあらゆる場所にポスターパネル１０を設置することができる。事業者は、送信所（電波塔）から各基地局を経由してそれらポスターパネル１０に表示する共通（同一内容）の動画（電波）または共通（同一内容）の静止画（電波）を送信（配信）する。
【００５５】
事業者の送信所から送信された共通の動画や共通の静止画は、各地域Ａ〜Ｃに設置されたそれらポスターパネル１０のアンテナ１５に受信される。アンテナ１５が受信した共通の動画や共通の静止画は、それらＬＥＤディスプレイ１１の電子制御モジュールに送信（転送）される。電子制御モジュールは、共通の動画や共通の静止画をメモリに格納した後、ＬＥＤ素子２１（ＬＥＤチップ）を利用してその動画やその静止画をＬＥＤディスプレイ１１の前面（フレキシブルシート状基板２０の前面２４）に表示する。共通の動画や共通の静止画は、各地域Ａ〜Ｃに設置されたそれらポスターパネル１０のＬＥＤディスプレイ１１に同時かつ一斉に表示され、それらポスターパネル１０のＬＥＤディスプレイ１１に表示されたその動画やその静止画によって商品やサービスに関する各種情報やその他の各種情報が各地域Ａ〜Ｃ（外部）に一斉かつ広範囲に伝えられる。
【００５６】
事業者は、すでにそれらポスターパネル１０のＬＥＤディスプレイ１１に表示されている共通の動画や共通の静止画を他の異なる動画や静止画に変更する場合、送信所（電波塔）から各基地局を経由してそれらポスターパネル１０に表示するあらたな共通（同一内容）の動画（電波）またはあらたな共通（同一内容）の静止画（電波）を送信（配信）する。あらたな共通の動画（電波）またはあらたな共通の静止画は、それらポスターパネル１０のＬＥＤディスプレイ１１の前面（フレキシブルシート状基板２０の前面２４）に同時かつ一斉に表示される。
【００５７】
それらポスターパネル１０のアンテナ１５に共通の動画または共通の静止画を同時に配信することができるから、複数のポスターパネル１０を任意の地域Ａ〜Ｃに設置しつつ、アンテナ１５を利用して受信した共通の動画または共通の静止画をそれらポスターパネル１０を設置した地域Ａ〜Ｃに同時かつ一斉に表示することができ、複数のポスターパネル１０を利用して共通の情報を広範囲に伝達することで、商品やサービスに関する各種情報やその他の各種情報の宣伝・広告効果や告示・公示効果を向上させることができる。
【００５８】
ポスターパネル１０は、アンテナ１５を利用して受信した共通の動画または共通の静止画をそれらポスターパネル１０のＬＥＤディスプレイ１１に同時かつ一斉に表示することができるから、その動画やその静止画によって商品やサービスに関する各種情報やその他の各種情報を効率よくタイムリーに伝えることができるとともに、現に表示している共通の動画や共通の静止画をあらたな共通の動画やあらたな共通の静止画に瞬時に変更することができ、ＬＥＤディスプレイ１１に表示する共通の動画や共通の静止画を適宜変更することで、伝えたい情報を迅速かつ正確に表示することができる。
【００５９】
また、事業者は、送信所（電波塔）から各基地局を経由してそれらポスターパネル１０に表示する各種複数の動画（電波）または各種複数の静止画（電波）を送信（配信）する。事業者の送信所から送信された各種複数の動画や各種複数の静止画は、各地域Ａ〜Ｃに設置されたそれらポスターパネル１０のアンテナ１５に受信される。アンテナ１５が受信した各種複数の動画や各種複数の静止画は、それらＬＥＤディスプレイ１１の電子制御モジュールに送信（転送）される。
【００６０】
電子制御モジュールは、各種複数の動画や各種複数の静止画をメモリに格納した後、ＬＥＤ素子２１（ＬＥＤチップ）を利用してその動画やその静止画をＬＥＤディスプレイ１１の前面（フレキシブルシート状基板２０の前面２４）に表示する。各種複数の動画や各種複数の静止画は、各地域Ａ〜Ｃに設置されたそれらポスターパネル１０のＬＥＤディスプレイ１１に表示され、それらポスターパネル１０のＬＥＤディスプレイ１１に表示されたその動画やその静止画によって商品やサービスに関する各種情報やその他の各種情報が各地域Ａ〜Ｃ（外部）に一斉かつ広範囲に伝えられる。
【００６１】
事業者は、すでにそれらポスターパネル１０のＬＥＤディスプレイ１１に表示されたている各種複数の動画や各種複数の静止画を他の異なる動画や静止画に変更する場合、送信所（電波塔）から各基地局を経由してポスターパネル１０に表示するあらたな各種複数の動画（電波）またはあらたな各種複数の静止画（電波）を送信（配信）する。あらたな各種複数の動画（電波）またはあらたな各種複数の静止画は、それらポスターパネル１０のＬＥＤディスプレイ１１の前面（フレキシブルシート状基板２０の前面２４）に表示される。
【００６２】
それらポスターパネル１０のアンテナ１５に各種複数の動画または各種複数の静止画を配信することができるから、複数のポスターパネル１０を任意の地域Ａ〜Ｃに設置しつつ、アンテナ１５を利用して受信した各種複数の動画または各種複数の静止画を複数のポスターパネル１０を設置した地域Ａ〜Ｃに表示することができ、複数のポスターパネル１０を利用して各種複数の情報を広範囲に伝達することで宣伝・広告効果や告示・公示効果を向上させることができる。
【００６３】
ポスターパネル１０は、アンテナ１５を利用して受信した各種複数の動画または各種複数の静止画をそれらポスターパネル１９のＬＥＤディスプレイ１１に表示することができるから、その動画やその静止画によって商品やサービスに関する各種情報やその他の各種情報を効率よくタイムリーに伝えることができるとともに、現に表示している各種複数の動画や各種複数の静止画をあらたな各種複数の動画やあらたな各種複数の静止画に瞬時に変更することができ、ＬＥＤディスプレイ１１に表示する各種複数の動画や各種複数の静止画を適宜変更することで、伝えたい情報を迅速かつ正確に表示することができる。
【００６４】
所定の地域に地震、大規模火災、火山噴火、気象や異常気象、放射能漏れ事故や原発事故、テロ事件等の災害が発生した場合、各省庁（国土交通省、防衛庁、警察庁、気象庁、環境庁、消防庁等）、地方自治体や国・地方公共団体等の公共機関から災害・防災情報（災害・防災公共電波）が送信される。それらポスターパネル１０の電子制御モジュールのメモリには、ポスターパネル１０が設置された地域Ａ〜Ｃのマップ情報（地図情報）が格納（記憶）されている。
【００６５】
公共機関から災害・防災情報（災害・防災公共電波）が送信された場合、人感センサ１６の作動が停止し、ポスターパネル１０の前に人が存在しない場合であってもＬＥＤディスプレイ１１に動画または静止画が表示される。事業者の送信所（電波塔）からポスターパネル１０に動画（電波）や静止画（電波）が送信されていたとしても、公共機関から災害・防災情報（災害・防災公共電波）が送信された場合、その災害・防災情報が優先して表示される。
【００６６】
地震に対する災害・防災には、緊急地震速報（震度、震源、発生時間等）、地震警戒レベル、津波警報、津波注意報、津波予想、地震被害情報、特別警戒、避難勧告、避難命令、避難場所情報等がある。地震に対するそれら災害・防災情報は例示にすぎず、地震に対する災害・防災情報には他のあらゆる情報が含まれる。所定の地域に地震が発生した場合、公共機関から地震に対する災害・防災情報（災害・防災公共電波）が送信される。公共機関から送信された地震に対する災害・防災情報は、各地域Ａ〜Ｃに設置されたそれらポスターパネル１０のアンテナ１１に受信される。
【００６７】
アンテナ１６が受信した地震に対する災害・防災情報は、それらＬＥＤディスプレイ１１の電子制御モジュールに送信（転送）される。電子制御モジュールは、ＬＥＤ素子２１（ＬＥＤチップ）を利用して地震に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【００６８】
地震に対する災害・防災情報の動画や静止画、避難場所情報、避難場所案内マップ情報は、各地域Ａ〜Ｃに設置されたそれらポスターパネル１０のＬＥＤディスプレイ１１に同時かつ一斉に表示され、それらポスターパネル１０のＬＥＤディスプレイ１１に表示されたその動画やその静止画によって地震に対する災害・防災情報、避難場所および避難場所までのルートを表示したマップ（地図）が各地域Ａ〜Ｃ（外部）に一斉かつ広範囲に伝えられる。なお、公共機関から避難場所情報が送信されない場合、避難場所情報および避難場所案内マップ情報は表示されない。
【００６９】
ポスターパネル１０は、地震発生時（災害発生時）にアンテナ１５を利用して受信した地震に対する地域Ａ〜Ｃの災害・防災情報や地域Ａ〜Ｃの避難場所情報、地域Ａ〜Ｃの避難場所案内マップ情報の動画または静止画をそれらポスターパネル１０のＬＥＤディスプレイ１１に表示することで、地震発生時におけるそれら情報を各地域Ａ〜Ｃに同時かつ広範囲に伝達することができ、地震発生時における避難方法や避難場所、避難場所までのルート等を避難者や被災者に迅速かつ正確に伝達することができるとともに、地震発生時の被害の発生を最小限にすることができる。
【００７０】
大規模火災に対する緊急防災情報には、火災発生情報（場所、規模、発生時間等）、火災警戒レベル、火災被害情報、消火状況、鎮火情報、特別警戒、避難勧告、避難命令、避難場所情報等がある。大規模火災に対するそれら緊急防災情報は例示にすぎず、大規模火災に対する緊急防災情報には他のあらゆる情報が含まれる。所定の地域に大規模火災が発生した場合、公共機関から大規模火災に対する災害・防災情報（災害・防災公共電波）が送信される。公共機関から送信された大規模火災に対する災害・防災情報は、各地域Ａ〜Ｃに設置されたそれらポスターパネル１０のアンテナ１４に受信される。
【００７１】
アンテナ１５が受信した大規模火災に対する災害・防災情報は、それらＬＥＤディスプレイ１１の電子制御モジュールに送信（転送）される。電子制御モジュールは、ＬＥＤ素子２１（ＬＥＤチップ）を利用して大規模火災に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【００７２】
大規模火災に対する災害・防災情報の動画や静止画、避難場所情報、避難場所案内マップ情報は、各地域Ａ〜Ｃに設置されたそれらポスターパネル１０のＬＥＤディスプレイ１１に同時かつ一斉に表示され、それらポスターパネル１０のＬＥＤディスプレイ１１に表示されたその動画やその静止画によって大規模火災に対する災害・防災情報、避難場所および避難場所までのルートを表示したマップ（地図）が各地域Ａ〜Ｃ（外部）一斉かつ広範囲に伝えられる。なお、公共機関から避難場所情報が送信されない場合、避難場所情報および避難場所案内マップ情報は表示されない。
【００７３】
ポスターパネル１０は、大規模火災発生時（災害発生時）にアンテナ１５を利用して受信した大規模火災に対する地域Ａ〜Ｃの災害・防災情報や地域Ａ〜Ｃの避難場所情報、地域Ａ〜Ｃの避難場所案内マップ情報の動画または静止画をそれらポスターパネル１０のＬＥＤディスプレイ１１に表示することで、大規模火災発生時におけるそれら情報を各地域Ａ〜Ｃに同時かつ広範囲に伝達することができ、大規模火災発生時における避難方法や避難場所、避難場所までのルート等を避難者や被災者に迅速かつ正確に伝達することができるとともに、大規模火災発生時の被害の発生を最小限にすることができる。
【００７４】
火山噴火に対する緊急防災情報には、噴火警報（火山名、規模、噴火時間等）、噴火警戒レベル、噴火被害情報、降灰予報、特別警戒、避難勧告、避難命令等がある。火山噴火に対するそれら緊急防災情報は例示にすぎず、火山噴火に対する緊急防災情報には他のあらゆる情報が含まれる。所定の地域に火山噴火が発生した場合、公共機関から火山噴火に対する災害・防災情報（災害・防災公共電波）が送信される。公共機関から送信された火山噴火に対する災害・防災情報は、各地域Ａ〜Ｃに設置されたそれらポスターパネル１０のアンテナ１５に受信される。
【００７５】
アンテナ１５が受信した火山噴火に対する災害・防災情報は、それらＬＥＤディスプレイ１１の電子制御モジュールに送信（転送）される。電子制御モジュールは、ＬＥＤ素子２１（ＬＥＤチップ）を利用して火山噴火に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【００７６】
火山噴火に対する災害・防災情報の動画や静止画、避難場所情報、避難場所案内マップ情報は、各地域Ａ〜Ｃに設置されたそれらポスターパネル１０のＬＥＤディスプレイ１１に同時かつ一斉に表示され、それらポスターパネル１０のＬＥＤディスプレイ１１に表示されたその動画やその静止画によって火山噴火に対する災害・防災情報、避難場所および避難場所までのルートを表示したマップ（地図）が各地域Ａ〜Ｃ（外部）に一斉かつ広範囲に伝えられる。なお、公共機関から避難場所情報が送信されない場合、避難場所情報および避難場所案内マップ情報は表示されない。
【００７７】
ポスターパネル１０は、火山噴火発生時（災害発生時）にアンテナ１５を利用して受信した火山噴火に対する地域Ａ〜Ｃの災害・防災情報や地域Ａ〜Ｃの避難場所情報、地域Ａ〜Ｃの避難場所案内マップ情報の動画または静止画をそれらポスターパネル１０のＬＥＤディスプレイ１１に表示することで、火山噴火発生時におけるそれら情報を各地域Ａ〜Ｃに同時かつ広範囲に伝達することができ、火山噴火発生時における避難方法や避難場所、避難場所までのルート等を避難者や被災者に迅速かつ正確に伝達することができるとともに、火山噴火発生時の被害の発生を最小限にすることができる。
【００７８】
異常気象に対する緊急防災情報には、気象警報・注意報、異常天候早期警戒情報、河川洪水警報、土砂災害警戒情報、竜巻注意情報、高温注意報、避難場所情報等がある。異常気象に対するそれら緊急防災情報は例示にすぎず、異常気象に対する緊急防災情報には他のあらゆる情報が含まれる。所定の地域に異常気象が発生した場合、公共機関から異常気象に対する災害・防災情報（災害・防災公共電波）が送信される。公共機関から送信された異常気象に対する災害・防災情報は、各地域Ａ〜Ｃに設置されたそれらポスターパネル１０のアンテナ１５に受信される。
【００７９】
アンテナ１５が受信した異常気象に対する災害・防災情報は、それらＬＥＤディスプレイ１１の電子制御モジュールに送信（転送）される。電子制御モジュールは、ＬＥＤ素子２１（ＬＥＤチップ）を利用して異常気象に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【００８０】
異常気象に対する災害・防災情報の動画や静止画、避難場所情報、避難場所案内マップ情報は、各地域Ａ〜Ｃに設置されたそれらポスターパネル１０のＬＥＤディスプレイ１１に同時かつ一斉に表示され、それらポスターパネル１０のＬＥＤディスプレイ１１に表示されたその動画やその静止画によって異常気象に対する災害・防災情報、避難場所および避難場所までのルートを表示したマップ（地図）が各地域Ａ〜Ｃ（外部）に一斉かつ広範囲に伝えられる。なお、公共機関から避難場所情報が送信されない場合、避難場所情報および避難場所案内マップ情報は表示されない。
【００８１】
ポスターパネル１０は、異常気象発生時（災害発生時）にアンテナ１５を利用して受信した異常気象に対する地域Ａ〜Ｃの災害・防災情報や地域Ａ〜Ｃの避難場所情報、地域Ａ〜Ｃの避難場所案内マップ情報の動画または静止画をそれらポスターパネル１０のＬＥＤディスプレイ１１に表示することで、異常気象発生時におけるそれら情報を各地域Ａ〜Ｃに同時かつ広範囲に伝達することができ、異常気象発生時における避難方法や避難場所、避難場所までのルート等を避難者や被災者に迅速かつ正確に伝達することができるとともに、異常気象発生時の被害の発生を最小限にすることができる。
【００８２】
放射能漏れ事故や原発事故に対する緊急防災情報には、放射能汚染区域情報、放射能レベル情報、放射性物質拡散区域情報、原子力災害情報、特別警戒、避難勧告、避難命令等がある。放射能漏れ事故に対するそれら緊急防災情報は例示にすぎず、放射能漏れ事故に対する緊急防災情報には他のあらゆる情報が含まれる。所定の地域に放射能漏れ事故や原発事故が発生した場合、公共機関から放射能漏れ事故や原発事故に対する災害・防災情報（災害・防災公共電波）が送信される。公共機関から送信された放射能漏れ事故や原発事故に対する災害・防災情報は、各地域Ａ〜Ｃに設置されたそれらポスターパネル１０のアンテナ１５に受信される。
【００８３】
アンテナ１５が受信した放射能漏れ事故や原発事故に対する災害・防災情報は、それらＬＥＤディスプレイ１１の電子制御モジュールに送信（転送）される。電子制御モジュールは、ＬＥＤ素子２１（ＬＥＤチップ）を利用して放射能漏れ事故や原発事故に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【００８４】
放射能漏れ事故や原発事故に対する災害・防災情報の動画や静止画、避難場所情報、避難場所案内マップ情報は、各地域Ａ〜Ｃに設置されたそれらポスターパネル１０のＬＥＤディスプレイ１１に同時かつ一斉に表示され、それらポスターパネル１０のＬＥＤディスプレイ１１に表示されたその動画やその静止画によって放射能漏れ事故や原発事故に対する災害・防災情報、避難場所および避難場所までのルートを表示したマップ（地図）が各地域Ａ〜Ｃ（外部）に一斉かつ広範囲に伝えられる。なお、公共機関から避難場所情報が送信されない場合、避難場所情報および避難場所案内マップ情報は表示されない。
【００８５】
ポスターパネル１０は、放射能漏れ事故や原発事故発生時（災害発生時）にアンテナを利用して受信した放射能漏れ事故や原発事故に対する地域Ａ〜Ｃの災害・防災情報や地域Ａ〜Ｃの避難場所情報、地域Ａ〜Ｃの避難場所案内マップ情報の動画または静止画をそれらポスターパネル１０のＬＥＤディスプレイ１１に表示することで、放射能漏れ事故や原発事故発生時におけるそれら情報を各地域Ａ〜Ｃに同時かつ広範囲に伝達することができ、放射能漏れ事故や原発事故発生時における避難方法や避難場所、避難場所までのルート等を避難者や被災者に迅速かつ正確に伝達することができるとともに、放射能漏れ事故や原発事故発生時の被害の発生を最小限にすることができる。
【００８６】
テロ事件に対する緊急防災情報には、テロ発生情報（発生場所、発生時間、テロ種類等）、テロ対策情報、特別警戒、避難勧告、避難命令等がある。テロに対するそれら緊急防災情報は例示にすぎず、テロに対する緊急防災情報には他のあらゆる情報が含まれる。所定の地域にテロ事件が発生した場合、公共機関からテロ事件に対する災害・防災情報（災害・防災公共電波）が送信される。公共機関から送信されたテロ事件に対する災害・防災情報は、各地域Ａ〜Ｃに設置されたそれらポスターパネル１０のアンテナ１１に受信される。
【００８７】
アンテナ１５が受信したテロ事件に対する災害・防災情報は、それらＬＥＤディスプレイ１１の電子制御モジュールに送信（転送）される。電子制御モジュールは、ＬＥＤ素子２１（ＬＥＤチップ）を利用してテロ事件に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【００８８】
テロ事件に対する災害・防災情報の動画や静止画、避難場所情報、避難場所案内マップ情報は、各地域Ａ〜Ｃに設置されたそれらポスターパネル１０のＬＥＤディスプレイ１１に同時かつ一斉に表示され、それらポスターパネル１０のＬＥＤディスプレイ１１に表示されたその動画やその静止画によってテロ事件に対する災害・防災情報、避難場所および避難場所までのルートを表示したマップ（地図）が各地域Ａ〜Ｃ（外部）に一斉かつ広範囲に伝えられる。なお、公共機関から避難場所情報が送信されない場合、避難場所情報および避難場所案内マップ情報は表示されない。
【００８９】
ポスターパネル１０は、テロ事件発生時（災害発生時）にアンテナ１５を利用して受信したテロ事件に対する地域Ａ〜Ｃの災害・防災情報や地域Ａ〜Ｃの避難場所情報、地域Ａ〜Ｃの避難場所案内マップ情報の動画または静止画をそれらポスターパネル１０のＬＥＤディスプレイ１１に表示することで、テロ事件発生時におけるそれら情報を各地域Ａ〜Ｃに同時かつ広範囲に伝達することができ、テロ事件発生時における避難方法や避難場所、避難場所までのルート等を避難者や被災者に迅速かつ正確に伝達することができるとともに、テロ事件発生時の被害の発生を最小限にすることができる。
【００９０】
各省庁（国土交通省、気象庁等）、地方自治体や国・地方公共団体等の公共機関から所定の地域の気象情報（気象情報公共電波）が定期的に送信される。公共機関から気象情報（気象情報公共電波）が送信された場合、人感センサ１６の作動が停止し、ポスターパネル１０の前に人が存在しない場合であってもＬＥＤディスプレイ１１に動画または静止画が表示される。事業者の送信所（電波塔）からポスターパネル１０に動画（電波）や静止画（電波）が送信されていたとしても、公共機関から気象情報（気象情報公共電波）が送信された場合、その気象情報が優先して表示される。
【００９１】
気象情報には、天気予報、週間天気予報、台風情報、海上警報、海上予報等があるが、それら気象情報は例示にすぎず、気象情報には他のあらゆる情報が含まれる。公共機関から送信された気象情報は、各地域Ａ〜Ｃに設置されたそれらポスターパネル１０のアンテナ１５に受信される。アンテナ１５が受信した気象情報は、それらＬＥＤディスプレイ１０の電子制御モジュールに送信（転送）される。電子制御モジュールは、ＬＥＤ素子２１（ＬＥＤチップ）を利用して気象情報の動画や静止画をＬＥＤディスプレイ１１の前面（フレキシブルシート状基板２０の前面２４）に表示する。
【００９２】
気象情報に関する動画や静止画は、各地域Ａ〜Ｃに設置されたそれらポスターパネル１０のＬＥＤディスプレイ１１に同時かつ一斉に表示され、それらポスターパネル１０のＬＥＤディスプレイ１１に表示されたその動画やその静止画によって気象情報が各地域Ａ〜Ｃ（外部）に一斉かつ広範囲に伝えられる。ポスターパネル１０は、アンテナ１５を利用して受信した地域Ａ〜Ｃの気象情報の動画または静止画をそれらポスターパネル１０のＬＥＤディスプレイ１１に表示することで、気象情報を各地域Ａ〜Ｃに同時かつ広範囲に伝達することができ、現在の天気状況や今後の天気変化等を通行人に迅速かつタイムリーに伝達することができる。
【００９３】
各省庁（国土交通省、気象庁等）、地方自治体や国・地方公共団体等の公共機関から所定の地域の道路交通情報（道路交通情報公共電波）が送信される。公共機関から道路交通情報（道路交通情報公共電波）が送信された場合、人感センサ１６の作動が停止し、ポスターパネル１０の前に人が存在しない場合であってもＬＥＤディスプレイ１１に動画または静止画が表示される。事業者の送信所（電波塔）からポスターパネル１０に動画（電波）や静止画（電波）が送信されていたとしても、公共機関から道路交通情報（道路交通情報公共電波）が送信された場合、その道路交通情報が優先して表示される。
【００９４】
道路交通情報には、リアルタイム交通情報、渋滞情報、事故情報、規制情報、道路工事予定情報等があるが、それら道路交通情報は例示にすぎず、道路交通情報には他のあらゆる情報が含まれる。公共機関から送信された道路交通情報は、各地域Ａ〜Ｃに設置されたそれらポスターパネル１０のアンテナ１５に受信される。アンテナ１５が受信した道路交通情報は、それらＬＥＤディスプレイ１１の電子制御モジュールに送信（転送）される。電子制御モジュールは、ＬＥＤ素子２１（ＬＥＤチップ）を利用して気象情報の動画や静止画をＬＥＤディスプレイ１１の前面（フレキシブルシート状基板２０の前面２４）に表示する。
【００９５】
道路交通情報に関する動画や静止画は、各地域Ａ〜Ｃに設置されたそれらポスターパネル１０のＬＥＤディスプレイ１１に同時かつ一斉に表示され、それらポスターパネル１０のＬＥＤディスプレイ１１に表示されたその動画やその静止画によって道路交通情報が各地域Ａ〜Ｃ（外部）に一斉かつ広範囲に伝えられる。ポスターパネル１０は、アンテナ１５を利用して受信した地域Ａ〜Ｃの道路交通情報の動画または静止画をそれらポスターパネル１０のＬＥＤディスプレイ１１に表示することで、道路交通情報を各地域Ａ〜Ｃに同時かつ広範囲に伝達することができ、通行制限の状況や道路の混雑状況等を通行人に迅速かつタイムリーに伝達することができる。
【００９６】
一例として示す自動販売機３１の斜視図である図６等の添付の図面を参照し、本発明に係るポスターパネルを設置した自動販売機の詳細を説明すると、以下のとおりである。図６では 、ポスターパネル１０のＬＥＤディスプレイ１１に表示される動画や静止画の図示を省略している。自動販売機３１は、六面体の筐体を備え、対価の支払によって各種の物品を取出口に送り出す。自動販売機３１は、正面および背面３２と、両側面３３ａ，３３ｂ（一方の側面３３ａおよび他方の側面３３ｂ）と、底面および頂面とを有する。
【００９７】
自動販売機３１の操作手段（電照板や選択ボタン、硬貨投入口、ＩＣカード読み取り機、取り出し口等）は正面に設置され、背面３２や両側面３３ａ，３３ｂには原則として何も設置されない。図６に示す自動販売機３１では、図１に示すポスターパネル１０が外部から視認可能な筐体３４の両側面３３ａ，３３ｂ（外部から視認可能な一面）に所定の固定手段によって設置・固定されている。なお、ポスターパネル１０を設置する箇所は外部から視認可能な筐体３４の面であればよく、筐体３４の一方の側面３３ａと他方の側面３３ｂと背面３２とのうちの少なくとも一面にポスターパネル１０が設置される。また、アンテナ１５やＬＥＤディスプレイ１１の電子制御モジュールが自動販売機３１の筐体３４に設置されていてもよい。
【００９８】
事業者の送信所（電波塔）から各基地局を経由して自動販売機３１のポスターパネル１０に表示する動画（電波）や静止画（電波）が送信される。事業者の送信所から送信された動画や静止画をアンテナ１５が受信し、電子制御モジュールが動画や静止画をメモリに格納した後、電子制御モジュールがＬＥＤ素子２１（ＬＥＤチップ）を利用して各種複数の動画や各種複数の静止画をフレキシブルシート状基板２０の前面２４（ＬＥＤディスプレイ１１の前面）に表示する。ＬＥＤディスプレイ１１に表示された動画や静止画によって商品やサービスに関する各種情報やその他の各種情報が伝えられる。
【００９９】
なお、人感センサ１６が人を検知した場合（ポスターパネル１０を取り付けた自動販売機３１の両側面３３ａ，３３ｂの前に人が存在する場合）にＬＥＤディスプレイ１１に動画または静止画が表示され、人感センサ１６が人を検知しない場合（ポスターパネル１０を取り付けた自動販売機３１の両側面３３ａ，３３ｂの前に人が存在しない場合）はＬＥＤディスプレイ１１に動画または静止画が表示されない。人感センサ１６が設置されていない場合は、動画または静止画がＬＥＤディスプレイ１１に常時表示される。事業者の送信所から自動販売機３１のポスターパネル１０に表示したい動画や静止画をタイムリーに送信することで、現に表示されている動画や静止画があらたな動画や静止画に変更される。
【０１００】
自動販売機３１は、筐体３４の視認可能な両側面３３ａ，３３ｂ（筐体３４の視認可能な一面）に設置されたポスターパネル１０を形成するＬＥＤディスプレイ１１がそれらＬＥＤ素子２１を利用してＬＥＤディスプレイ１１の前面（フレキシブルシート状基板２０の前面２４）に各種複数の動画または各種複数の静止画を表示するから、ＬＥＤディスプレイ１１を介して自動販売機３１の両側面３３ａ，３３ｂに各種複数の動画または各種複数の静止画を表示することができ、その動画や静止画によって商品やサービスに関する各種情報やその他の各種情報を効率よくタイムリーに伝えることができる。自動販売機３１は、ポスターパネル１０のＬＥＤディスプレイ１１を利用することで、現に表示している動画や静止画をあらたな動画や静止画に瞬時に変更することができ、ＬＥＤディスプレイ１１に表示する動画や静止画を適宜変更することで、伝えたい情報を迅速かつ正確に表示することができる。
【０１０１】
図７は、自動販売機３１の利用形態の一例を示す図である。図７では 、ポスターパネル１０のＬＥＤディスプレイ１１に表示される動画や静止画の図示を省略している。自動販売機３１は、各種複数のそれが各地域Ａ〜Ｃに施設される。なお、自動販売機３１の施設場所に特に制限はなく、各地域Ａ〜Ｃのあらゆる場所に自動販売機３１を施設することができる。事業者は、送信所（電波塔）から各基地局を経由してそれら自動販売機３１のポスターパネル１０に表示する共通（同一内容）の動画（電波）または共通（同一内容）の静止画（電波）を送信（配信）する。
【０１０２】
事業者の送信所から送信された共通の動画や共通の静止画は、各地域Ａ〜Ｃに施設されたそれら自動販売機３１のアンテナ１５に受信される。アンテナ１５が受信した共通の動画や共通の静止画は、それらＬＥＤディスプレイ１１の電子制御モジュールに送信（転送）される。電子制御モジュールは、共通の動画や共通の静止画をメモリに格納した後、ＬＥＤ素子２１（ＬＥＤチップ）を利用してその動画やその静止画をＬＥＤディスプレイ１１の前面（フレキシブルシート状基板２０の前面２４）に表示する。共通の動画や共通の静止画は、各地域Ａ〜Ｃに施設されたそれら自動販売機３１のポスターパネル１０のＬＥＤディスプレイ１１に同時かつ一斉に表示され、それらポスターパネル１０のＬＥＤディスプレイ１１に表示されたその動画やその静止画によって商品やサービスに関する各種情報やその他の各種情報が各地域（外部）に一斉かつ広範囲に伝えられる。
【０１０３】
事業者は、すでにそれら自動販売機３１のポスターパネル１０のＬＥＤディスプレイ１１に表示されている共通の動画や共通の静止画を他の異なる動画や静止画に変更する場合、送信所（電波塔）から各基地局を経由してそれら自動販売機３１のポスターパネル１０に表示するあらたな共通（同一内容）の動画（電波）またはあらたな共通（同一内容）の静止画（電波）を送信（配信）する。あらたな共通の動画（電波）またはあらたな共通の静止画は、それらポスターパネル１０のＬＥＤディスプレイ１１の前面（フレキシブルシート状基板２０の前面２４）に同時かつ一斉に表示される。
【０１０４】
それら自動販売機３１に設置されたポスターパネル１０のアンテナ１５に共通の動画または共通の静止画を同時に配信することができるから、各種複数の自動販売機３１を任意の地域Ａ〜Ｃに施設しつつ、アンテナ１５を利用して受信した共通の動画または共通の静止画をそれら自動販売機３１を施設した地域Ａ〜Ｃに同時かつ一斉に表示することができ、複数の自動販売機３１を利用して共通の情報を伝達することで、商品やサービスに関する各種情報やその他の各種情報宣伝・広告効果や告示・公示効果を向上させることができる。
【０１０５】
自動販売機３１は、アンテナ１５を利用して受信した共通の動画または共通の静止画をそれら自動販売機３１に設置されたポスターパネル１０のＬＥＤディスプレイ１１に同時かつ一斉に表示することができるから、その動画やその静止画によって商品やサービスに関する各種情報やその他の各種情報を効率よくタイムリーに伝えることができるとともに、現に表示している共通の動画や共通の静止画をあらたな共通の動画やあらたな共通の静止画に瞬時に変更することができ、ＬＥＤディスプレイ１１に表示する共通の動画や共通の静止画を適宜変更することで、伝えたい情報を迅速かつ正確に表示することができる。
【０１０６】
また、事業者は、送信所（電波塔）から各基地局を経由してそれら自動販売機３１に設置されたポスターパネル１０に表示する各種複数の動画（電波）または各種複数の静止画（電波）を送信（配信）する。事業者の送信所から送信された各種複数の動画や各種複数の静止画は、各地域に施設されたそれら自動販売機３１に設置されたポスターパネル１０のアンテナ１５に受信される。アンテナ１５が受信した各種複数の動画や各種複数の静止画は、それらＬＥＤディスプレイ１１の電子制御モジュールに送信（転送）される。
【０１０７】
電子制御モジュールは、各種複数の動画や各種複数の静止画をメモリに格納した後、ＬＥＤ素子２１（ＬＥＤチップ）を利用してその動画やその静止画をＬＥＤディスプレイ１１の前面（フレキシブルシート状基板２０の前面２４）に表示する。各種複数の動画や各種複数の静止画は、各地域Ａ〜Ｃに施設されたそれら自動販売機３１に設置されたポスターパネル１０のＬＥＤディスプレイ１１に表示され、それらポスターパネル１０のＬＥＤディスプレイ１１に表示されたその動画やその静止画によって商品やサービスに関する各種情報やその他の各種情報が各地域Ａ〜Ｃ（外部）に一斉かつ広範囲に伝えられる。
【０１０８】
事業者は、すでにそれらポスターパネル１０のＬＥＤディスプレイ１１に表示されたている各種複数の動画や各種複数の静止画を他の異なる動画や静止画に変更する場合、送信所（電波塔）から各基地局を経由してそれら自動販売機３１に設置されたポスターパネル１０に表示するあらたな各種複数の動画（電波）またはあらたな各種複数の静止画（電波）を送信（配信）する。あらたな各種複数の動画（電波）またはあらたな各種複数の静止画は、それらポスターパネル１０のＬＥＤディスプレイ１１の前面（フレキシブルシート状基板２０の前面２４）に表示される。
【０１０９】
それら自動販売機３１に設置されたポスターパネル１０のアンテナ１５に各種複数の動画または各種複数の静止画を配信することができるから、各種複数の自動販売機３１を任意の地域Ａ〜Ｃに施設しつつ、アンテナ１５を利用して受信した各種複数の動画または各種複数の静止画をそれら自動販売機３１を施設した地域Ａ〜Ｃに表示することができ、各種複数の自動販売機３１を利用して各種複数の情報を伝達することで宣伝・広告効果や告示・公示効果を向上させることができる。
【０１１０】
自動販売機３１は、アンテナ１５を利用して受信した各種複数の動画または各種複数の静止画を各自動販売機３１に設置されたポスターパネル１０のＬＥＤディスプレイ１１に表示することができるから、その動画やその静止画によって商品やサービスに関する各種情報やその他の各種情報を効率よくタイムリーに伝えることができるとともに、現に表示している各種複数の動画や各種複数の静止画をあらたな各種複数の動画やあらたな各種複数の静止画に瞬時に変更することができ、ＬＥＤディスプレイ１１に表示する各種複数の動画や各種複数の静止画を適宜変更することで、伝えたい情報を迅速かつ正確に表示することができる。
【０１１１】
既述のように、所定の地域に地震、大規模火災、火山噴火、気象や異常気象、放射能漏れ事故や原発事故、テロ事件等の災害が発生した場合、各省庁（国土交通省、防衛庁、警察庁、気象庁、環境庁、消防庁等）、地方自治体や国・地方公共団体等の公共機関から災害・防災情報（災害・防災公共電波）が送信される。それらポスターパネル１０の電子制御モジュールのメモリには、自動販売機３１が施設された地域Ａ〜Ｃのマップ情報（地図情報）が格納（記憶）されている。
【０１１２】
公共機関から災害・防災情報（災害・防災公共電波）が送信された場合、人感センサ１６の作動が停止し、ポスターパネル１０（自動販売機３１の両側面３３ａ，３３ｂ）の前に人が存在しない場合であってもＬＥＤディスプレイ１１に動画または静止画が表示される。事業者の送信所（電波塔）から自動販売機３１に動画（電波）や静止画（電波）が送信されていたとしても、公共機関から災害・防災情報（災害・防災公共電波）が送信された場合、その災害・防災情報が優先して表示される。
【０１１３】
所定の地域に地震が発生した場合、公共機関から地震に対する災害・防災情報（災害・防災公共電波）が送信される。公共機関から送信された地震に対する災害・防災情報は、各地域Ａ〜Ｃに施設されたそれら自動販売機３１のアンテナ１５に受信される。アンテナ１５が受信した地震に対する災害・防災情報は、それらＬＥＤディスプレイ１１の電子制御モジュールに送信（転送）される。電子制御モジュールは、ＬＥＤ素子２１（ＬＥＤチップ）を利用して地震に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【０１１４】
地震に対する災害・防災情報の動画や静止画、避難場所情報、避難場所案内マップ情報は、各地域Ａ〜Ｃに施設されたそれら自動販売機３１のポスターパネル１０のＬＥＤディスプレイ１１に同時かつ一斉に表示され、それらポスターパネル１０のＬＥＤディスプレイ１１に表示されたその動画やその静止画によって地震に対する災害・防災情報、避難場所および避難場所までのルートを表示したマップ（地図）が各地域Ａ〜Ｃ（外部）に一斉かつ広範囲に伝えられる。なお、公共機関から避難場所情報が送信されない場合、避難場所情報および避難場所案内マップ情報は表示されない。
【０１１５】
自動販売機３１は、地震発生時（災害発生時）にアンテナ１５を利用して受信した地震に対する地域Ａ〜Ｃの災害・防災情報や地域Ａ〜Ｃの避難場所情報、地域Ａ〜Ｃの避難場所案内マップ情報の動画または静止画を各自動販売機３１に設置されたそれらポスターパネル１０のＬＥＤディスプレイ１１に表示することで、地震発生時におけるそれら情報を各地域Ａ〜Ｃに同時かつ広範囲に伝達することができ、地震発生時における避難方法や避難場所、避難場所までのルート等を避難者や被災者に迅速かつ正確に伝達することができるとともに、地震発生時の被害の発生を最小限にすることができる。
【０１１６】
所定の地域に大規模火災が発生した場合、公共機関から大規模火災に対する災害・防災情報（災害・防災公共電波）が送信される。公共機関から送信された大規模火災に対する災害・防災情報は、各地域Ａ〜Ｃに施設されたそれら自動販売機３１のアンテナ１５に受信される。アンテナ１５が受信した大規模火災に対する災害・防災情報は、それらＬＥＤディスプレイ１１の電子制御モジュールに送信（転送）される。電子制御モジュールは、ＬＥＤ素子２１（ＬＥＤチップ）を利用して大規模火災に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【０１１７】
大規模火災に対する災害・防災情報の動画や静止画、避難場所情報、避難場所案内マップ情報は、各地域Ａ〜Ｃに施設されたそれら自動販売機３１のポスターパネル１０のＬＥＤディスプレイ１１に同時かつ一斉に表示され、それらポスターパネル１０のＬＥＤディスプレイ１１に表示されたその動画やその静止画によって大規模火災に対する災害・防災情報、避難場所および避難場所までのルートを表示したマップ（地図）が各地域Ａ〜Ｃ（外部）に一斉かつ広範囲に伝えられる。なお、公共機関から避難場所情報が送信されない場合、避難場所情報および避難場所案内マップ情報は表示されない。
【０１１８】
自動販売機３１は、大規模火災発生時（災害発生時）にアンテナ１５を利用して受信した大規模火災に対する地域Ａ〜Ｃの災害・防災情報や地域Ａ〜Ｃの避難場所情報、地域Ａ〜Ｃの避難場所案内マップ情報の動画または静止画を各自動販売機３１に設置されたそれらポスターパネル１０のＬＥＤディスプレイ１１に表示することで、大規模火災発生時におけるそれら情報を各地域Ａ〜Ｃに同時かつ広範囲に伝達することができ、大規模火災発生時における避難方法や避難場所、避難場所までのルート等を避難者や被災者に迅速かつ正確に伝達することができるとともに、大規模火災発生時の被害の発生を最小限にすることができる。
【０１１９】
所定の地域に火山噴火が発生した場合、公共機関から火山噴火に対する災害・防災情報（災害・防災公共電波）が送信される。公共機関から送信された火山噴火に対する災害・防災情報は、各地域Ａ〜Ｃに施設されたそれら自動販売機３１のアンテナ１５に受信される。アンテナ１５が受信した火山噴火に対する災害・防災情報は、それらＬＥＤディスプレイ１１の電子制御モジュールに送信（転送）される。電子制御モジュールは、ＬＥＤ素子２１（ＬＥＤチップ）を利用して火山噴火に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【０１２０】
火山噴火に対する災害・防災情報の動画や静止画、避難場所情報、避難場所案内マップ情報は、各地域Ａ〜Ｃに施設されたそれら自動販売機３１のポスターパネル１０のＬＥＤディスプレイ１１に同時かつ一斉に表示され、それらポスターパネル１０のＬＥＤディスプレイ１１に表示されたその動画やその静止画によって火山噴火に対する災害・防災情報、避難場所および避難場所までのルートを表示したマップ（地図）が各地域Ａ〜Ｃ（外部）に一斉かつ広範囲に伝えられる。なお、公共機関から避難場所情報が送信されない場合、避難場所情報および避難場所案内マップ情報は表示されない。
【０１２１】
自動販売機３１は、火山噴火発生時（災害発生時）にアンテナ１５を利用して受信した火山噴火に対する地域Ａ〜Ｃの災害・防災情報や地域Ａ〜Ｃの避難場所情報、地域Ａ〜Ｃの避難場所案内マップ情報の動画または静止画を各自動販売機３１に設置されたそれらポスターパネル１０のＬＥＤディスプレイ１１に表示することで、火山噴火発生時におけるそれら情報を各地域Ａ〜Ｃに同時かつ広範囲に伝達することができ、火山噴火発生時における避難方法や避難場所、避難場所までのルート等を避難者や被災者に迅速かつ正確に伝達することができるとともに、火山噴火発生時の被害の発生を最小限にすることができる。
【０１２２】
所定の地域に異常気象が発生した場合、公共機関から異常気象に対する災害・防災情報（災害・防災公共電波）が送信される。公共機関から送信された異常気象に対する災害・防災情報は、各地域Ａ〜Ｃに施設されたそれら自動販売機３１のアンテナ１５に受信される。アンテナ１５が受信した異常気象に対する災害・防災情報は、それらＬＥＤディスプレイ１１の電子制御モジュールに送信（転送）される。電子制御モジュールは、ＬＥＤ素子２１（ＬＥＤチップ）を利用して異常気象に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【０１２３】
異常気象に対する災害・防災情報の動画や静止画、避難場所情報、避難場所案内マップ情報は、各地域Ａ〜Ｃに施設されたそれら自動販売機３１のポスターパネル１０のＬＥＤディスプレイ１１に同時かつ一斉に表示され、それらポスターパネル１０のＬＥＤディスプレイ１１に表示されたその動画やその静止画によって異常気象に対する災害・防災情報、避難場所および避難場所までのルートを表示したマップ（地図）が各地域Ａ〜Ｃ（外部）に一斉かつ広範囲に伝えられる。なお、公共機関から避難場所情報が送信されない場合、避難場所情報および避難場所案内マップ情報は表示されない。
【０１２４】
自動販売機３１は、異常気象発生時（災害発生時）にアンテナ１５を利用して受信した異常気象に対する地域Ａ〜Ｃの災害・防災情報や地域Ａ〜Ｃの避難場所情報、地域Ａ〜Ｃの避難場所案内マップ情報の動画または静止画を各自動販売機３１に設置されたそれらポスターパネル１０のＬＥＤディスプレイ１１に表示することで、異常気象発生時におけるそれら情報を各地域Ａ〜Ｃに同時かつ広範囲に伝達することができ、異常気象発生時における避難方法や避難場所、避難場所までのルート等を避難者や被災者に迅速かつ正確に伝達することができるとともに、異常気象発生時の被害の発生を最小限にすることができる。
【０１２５】
所定の地域に放射能漏れ事故や原発事故が発生した場合、公共機関から放射能漏れ事故や原発事故に対する災害・防災情報（災害・防災公共電波）が送信される。公共機関から送信された放射能漏れ事故や原発事故に対する災害・防災情報は、各地域Ａ〜Ｃに施設されたそれら自動販売機３１のアンテナ１５に受信される。アンテナ１５が受信した放射能漏れ事故や原発事故に対する災害・防災情報は、それらＬＥＤディスプレイ１１の電子制御モジュールに送信（転送）される。電子制御モジュールは、ＬＥＤ素子２１（ＬＥＤチップ）を利用して放射能漏れ事故や原発事故に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【０１２６】
放射能漏れ事故や原発事故に対する災害・防災情報の動画や静止画、避難場所情報、避難場所案内マップ情報は、各地域Ａ〜Ｃに施設されたそれら自動販売機３１のポスターパネル１０のＬＥＤディスプレイ１１に同時かつ一斉に表示され、それらポスターパネル１０のＬＥＤディスプレイ１１に表示されたその動画やその静止画によって放射能漏れ事故や原発事故に対する災害・防災情報、避難場所および避難場所までのルートを表示したマップ（地図）が各地域（外部）に一斉かつ広範囲に伝えられる。なお、公共機関から避難場所情報が送信されない場合、避難場所情報および避難場所案内マップ情報は表示されない。
【０１２７】
自動販売機３１は、放射能漏れ事故や原発事故発生時（災害発生時）にアンテナ１５を利用して受信した放射能漏れ事故や原発事故に対する地域Ａ〜Ｃの災害・防災情報や地域Ａ〜Ｃの避難場所情報、地域Ａ〜Ｃの避難場所案内マップ情報の動画または静止画を各自動販売機３１に設置されたそれらポスターパネル１０のＬＥＤディスプレイ１１に表示することで、放射能漏れ事故や原発事故発生時におけるそれら情報を各地域Ａ〜Ｃに同時かつ広範囲に伝達することができ、放射能漏れ事故や原発事故発生時における避難方法や避難場所、避難場所までのルート等を避難者や被災者に迅速かつ正確に伝達することができるとともに、放射能漏れ事故や原発事故発生時の被害の発生を最小限にすることができる。
【０１２８】
所定の地域にテロ事件が発生した場合、公共機関からテロ事件に対する災害・防災情報（災害・防災公共電波）が送信される。公共機関から送信されたテロ事件に対する災害・防災情報は、各地域Ａ〜Ｃに施設されたそれら自動販売機３１のアンテナ１５に受信される。アンテナ１５が受信したテロ事件に対する災害・防災情報は、それらＬＥＤディスプレイ１１の電子制御モジュールに送信（転送）される。電子制御モジュールは、ＬＥＤ素子２１（ＬＥＤチップ）を利用してテロ事件に対する災害・防災情報の動画や静止画をＬＥＤディスプレイ１１の前面（フレキシブルシート状基板２０の前面２４）に表示するとともに、公共機関から送信された避難場所情報において指定された避難場所までのルートをメモリに格納されたマップ情報によって割り出し、避難場所情報および避難場所案内マップ情報（避難場所までのルートを表示したマップ（地図））の動画や静止画をＬＥＤディスプレイ１１の前面（フレキシブルシート状基板２０の前面２４）に表示する。
【０１２９】
テロ事件に対する災害・防災情報の動画や静止画、避難場所情報、避難場所案内マップ情報は、各地域Ａ〜Ｃに施設されたそれら自動販売機３１のポスターパネル１０のＬＥＤディスプレイ１１に同時かつ一斉に表示され、それらポスターパネル１０のＬＥＤディスプレイ１１に表示されたその動画やその静止画によってテロ事件に対する災害・防災情報、避難場所および避難場所までのルートを表示したマップ（地図）が各地域Ａ〜Ｃ（外部）に一斉かつ広範囲に伝えられる。なお、公共機関から避難場所情報が送信されない場合、避難場所情報および避難場所案内マップ情報は表示されない。
【０１３０】
自動販売機３１は、テロ事件発生時（災害発生時）にアンテナ１５を利用して受信したテロ事件に対する地域Ａ〜Ｃの災害・防災情報や地域Ａ〜Ｃの避難場所情報、地域Ａ〜Ｃの避難場所案内マップ情報の動画または静止画を各自動販売機３１に設置されたそれらポスターパネル１０のＬＥＤディスプレイ１１に表示することで、テロ事件発生時におけるそれら情報を各地域Ａ〜Ｃに同時かつ広範囲に伝達することができ、テロ事件発生時における避難方法や避難場所、避難場所までのルート等を避難者や被災者に迅速かつ正確に伝達することができるとともに、テロ事件発生時の被害の発生を最小限にすることができる。
【０１３１】
公共機関から送信された気象情報は、各地域に施設されたそれら自動販売機３１のポスターパネル１０のアンテナ１５に受信される。アンテナ１５が受信した気象情報は、それらＬＥＤディスプレイ１１の電子制御モジュールに送信（転送）される。電子制御モジュールは、ＬＥＤ素子２１（ＬＥＤチップ）を利用して気象情報の動画や静止画をＬＥＤディスプレイ１１の前面（フレキシブルシート状基板２０の前面２４）に表示する。
【０１３２】
公共機関から気象情報（気象情報公共電波）が送信された場合、人感センサ１６の作動が停止し、ポスターパネル１０（自動販売機３１の両側面３３ａ，３３ｂ）の前に人が存在しない場合であってもＬＥＤディスプレイ１１に動画または静止画が表示される。事業者の送信所（電波塔）から自動販売機３１に動画（電波）や静止画（電波）が送信されていたとしても、公共機関から気象情報（気象情報公共電波）が送信された場合、その気象情報が優先して表示される。
【０１３３】
気象情報に関する動画や静止画は、各地域Ａ〜Ｃに施設されたそれら自動販売機３１のポスターパネル１０のＬＥＤディスプレイ１１に同時かつ一斉に表示され、それらポスターパネル１０のＬＥＤディスプレイ１１に表示されたその動画やその静止画によって気象情報が各地域Ａ〜Ｃ（外部）に一斉かつ広範囲に伝えられる。自動販売機３１は、アンテナ１５を利用して受信した地域Ａ〜Ｃの気象情報の動画または静止画を各自動販売機３１に設置されたそれらポスターパネル１０のＬＥＤディスプレイ１１に表示することで、気象情報を各地域Ａ〜Ｃに同時かつ広範囲に伝達することができ、現在の天気状況や今後の天気変化等を通行人に迅速かつタイムリーに伝達することができる。
【０１３４】
公共機関から送信された道路交通情報は、各地域Ａ〜Ｃに施設されたそれら自動販売機３１のアンテナ１５に受信される。アンテナ１５が受信した道路交通情報は、それらＬＥＤディスプレイ１１の電子制御モジュールに送信（転送）される。電子制御モジュールは、ＬＥＤ素子２１（ＬＥＤチップ）を利用して気象情報の動画や静止画をＬＥＤディスプレイ１１の前面（フレキシブルシート状基板２０の前面２４）に表示する。
【０１３５】
公共機関から道路交通情報（道路交通情報公共電波）が送信された場合、人感センサ１６の作動が停止し、ポスターパネル１０（自動販売機３１の両側面３３ａ，３３ｂ）の前に人が存在しない場合であってもＬＥＤディスプレイ１１に動画または静止画が表示される。事業者の送信所（電波塔）から自動販売機３１に動画（電波）や静止画（電波）が送信されていたとしても、公共機関から道路交通情報（道路交通情報公共電波）が送信された場合、その気象情報が優先して表示される。
【０１３６】
道路交通情報に関する動画や静止画は、各地域Ａ〜Ｃに施設されたそれら自動販売機３１のポスターパネル１０のＬＥＤディスプレイ１１に同時かつ一斉に表示され、それらポスターパネル１０のＬＥＤディスプレイ１１に表示されたその動画やその静止画によって道路交通情報が各地域Ａ〜Ｃ（外部）に一斉かつ広範囲に伝えられる。自動販売機３１は、アンテナ１５を利用して受信した地域Ａ〜Ｃの道路交通情報の動画または静止画を各自動販売機３１に設置されたそれらポスターパネル２０のＬＥＤディスプレイ１１に表示することで、道路交通情報を各地域Ａ〜Ｃに同時かつ広範囲に伝達することができ、通行制限の状況や道路の混雑状況等を通行人に迅速かつタイムリーに伝達することができる。
【符号の説明】
【０１３７】
１０    ポスターパネル
１１    ＬＥＤディスプレイ
１２    フロントプレート
１３    リアプレート
１４    フレーム
１５    アンテナ
１６    人感センサ
１７    パネルスタンド
１８    アーム
１９    パネルラック
２０    フレキシブルシート状基板
２１    ＬＥＤ素子
２２    端部
２３    紫外線遮蔽保護フィルム
２４    前面
２５    後面
２６    前面
２７    後面
２８    上端縁部
２９    下端縁部
３０    両側縁部
３１    自動販売機
３２    背面
３３ａ  側面（一方の側面）
３３ｂ  側面（他方の側面）
３４    筐体
【図１】
2018189791.tif 000003
【図２】
2018189791.tif 000004
【図３】
2018189791.tif 000005
【図４】
2018189791.tif 000006
【図５】
2018189791.tif 000007
【図６】
2018189791.tif 000008
【図７】
2018189791.tif 000009